【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
廃棄物を保管する廃棄物保管手段、該廃棄物保管手段で一時保管した廃棄物を輸送する廃棄物輸送手段、該廃棄物輸送手段が輸送した廃棄物を受け取り分解・選別処理するリサイクル手段を有する廃棄物リサイクルシステムであって、
前記廃棄物保管手段、前記廃棄物輸送手段及び前記リサイクル手段のいずれかで入力された、前記廃棄物の現品受入情報及び前記管理票の受入情報とを、異なる表として格納するデータベース手段と、
前記廃棄物の現品受入情報に対応する前記管理票の受入情報を、前記データベース手段に格納された表に含まれる項目により比較する比較手段を有することを特徴とする廃棄物リサイクルシステム。
【請求項２】
廃棄物を保管する廃棄物保管手段、該廃棄物保管手段で一時保管した廃棄物を輸送する廃棄物輸送手段、該廃棄物輸送手段が輸送した廃棄物を受け取り分解・選別処理するリサイクル手段を有する廃棄物リサイクルシステムであって、
前記廃棄物保管手段、前記廃棄物輸送手段及び前記リサイクル手段のそれぞれから送信された、前記廃棄物の受け渡しと処理に関する情報を受信し、前記受け渡しと処理に関する情報を格納する管理情報格納手段を有することを特徴とする廃棄物リサイクルシステム。
【請求項３】
廃棄物を保管する廃棄物保管手段、該廃棄物保管手段が保管した廃棄物を輸送する廃棄物輸送手段、該廃棄物輸送手段が輸送した廃棄物を受け取り分解・選別処理するリサイクル手段を有する廃棄物リサイクルシステムであって、
前記廃棄物保管手段は保管料金情報管理手段を有し、
前記廃棄物輸送手段は輸送料金情報管理手段を有し、
前記リサイクル手段はリサイクル料金情報管理手段を有し、
前記保管料金情報管理手段から伝達された保管料金情報、前記輸送料金情報管理手段から伝達された輸送料金情報、及び前記リサイクル料金情報管理手段から伝達されたリサイクル料金情報を管理する料金情報管理手段を有し、
前記料金情報管理手段は、前記廃棄物の再商品化料金を、前記保管料金情報、前記輸送料金情報、及び前記リサイクル料金情報に応じて比例配分するリサイクル料金配分手段を有することを特徴とする廃棄物リサイクルシステム。
【請求項４】
廃棄物を保管する廃棄物保管手段、該廃棄物保管手段が保管した廃棄物を輸送する廃棄物輸送手段、該廃棄物輸送手段が輸送した廃棄物を受け取り分解・選別処理するリサイクル手段を有する廃棄物リサイクルシステムであって、
前記廃棄物保管手段の在庫情報及び前記リサイクル手段の在庫情報に基づいて、前記廃棄物輸送手段により輸送される廃棄物の輸送品目及び品目毎の量を決定する輸送計画決定手段を有することを特徴とする廃棄物リサイクルシステム。
【請求項５】
廃棄物を保管する廃棄物保管手段、該廃棄物保管手段が保管した廃棄物を輸送する廃棄物輸送手段、該廃棄物輸送手段が輸送した廃棄物を受け取り分解・選別処理するリサイクル手段を有する廃棄物リサイクルシステムであって、
前記リサイクル手段内への入庫情報及び前記リサイクル手段の在庫情報を受けて、前記リサイクル手段内の在庫量を減少させ新たなる入庫に備える運転処理指令情報を前記リサイクル手段へ出力する運転処理計画立案手段を有することを特徴とする廃棄物リサイクルシステム。
【請求項６】
廃棄物を保管する廃棄物保管手段、該廃棄物保管手段で一時保管した廃棄物を輸送する廃棄物輸送手段及び該廃棄物輸送手段が輸送した廃棄物を受け取り分解・選別処理するリサイクル手段のいずれかの手段が、データベース手段に異なる表として格納された、前記廃棄物の現品受入情報及び前記廃棄物を管理する管理票の受入情報を、前記表に含まれる項目を用いて比較する比較手段を有し、前記比較手段により前記現品受入情報と管理票の受入情報を比較することを特徴とする比較方法。
【請求項７】
廃棄物を保管する廃棄物保管手段、該廃棄物保管手段で一時保管した廃棄物を輸送する廃棄物輸送手段及び該廃棄物輸送手段が輸送した廃棄物を受け取り分解・選別処理するリサイクル手段が、前記それぞれの手段における、前記廃棄物の受け入れ及び、出庫又は終了ごとに、前記廃棄物が一連の受け渡しのどの段階にあるかを確認する為の情報を管理情報格納手段へ格納することを特徴とする格納方法。
【請求項８】
廃棄物の最商品化料金を配分するリサイクル料金配分手段が、前記再商品化料金を、前記廃棄物を保管する廃棄物保管手段が有する保管料金情報管理手段から伝達された保管料金情報、前記保管された廃棄物を輸送する廃棄物輸送手段が有する輸送料金情報管理手段から伝達された輸送料金情報、及び前記輸送された廃棄物を受け取り分解・選別処理するリサイクル手段が有するリサイクル料金情報管理手段から伝達されたリサイクル料金情報に応じて、比例配分することを特徴とする配分方法。
【請求項９】
廃棄物の輸送を計画する輸送計画決定手段が、廃棄物を保管する廃棄物保管手段の在庫情報及び廃棄物を受け取り分解・選別処理するリサイクル手段の在庫情報に基づいて、前記廃棄物保管手段が保管した廃棄物を輸送する廃棄物輸送手段により輸送される廃棄物の輸送品目及び品目毎の量を決定することを特徴とする輸送計画決定手段による輸送計画決定方法。
【請求項１０】
廃棄物処理の運転処理計画を立案する運転処理計画立案手段が、廃棄物を受け取り分解・選別処理するリサイクル手段内への入庫情報及び前記リサイクル手段の在庫情報を受けて、前記入庫情報及び前記在庫情報に基づいて前記リサイクル手段内の在庫量を減少させ新たなる入庫に備える運転処理指令情報を前記リサイクル手段へ出力することを特徴とする運転処理計画立案方法。
【手続補正２】
【補正対象書類名】明細書
【補正対象項目名】発明の名称
【補正方法】変更
【補正の内容】
【発明の名称】廃棄物リサイクルシステム，比較方法，格納方法，配分方法，輸送計画決定方法及び運転処理計画立案方法
【手続補正３】
【補正対象書類名】明細書
【補正対象項目名】００２６
【補正方法】変更
【補正の内容】
【００２６】
前述の第１番目の問題を解決するための課題として、廃棄物を容易に個体識別・追跡できるようにし、かつ、これを実現する管理票システムを確立するために、以下の工夫を行った。
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】変更
【補正の内容】
【００３３】
シールと管理票の情報の照合において、これらの情報をデータベース手段に格納した上で実施する。
【手続補正１１】
【補正対象書類名】明細書
【補正対象項目名】００３５
【補正方法】変更
【補正の内容】
【００３５】
シールと管理票の情報を照合作業を廃棄物の回収から保管，輸送，リサイクル処理に至るすべての受け渡し段階で実施する。
【手続補正１２】
【補正対象書類名】明細書
【補正対象項目名】００４２
【補正方法】変更
【補正の内容】
【００４２】
前述の第３番目の問題を解決するための課題として、廃棄物の個体管理と統合された料金情報管理を行うとともに、リサイクルシステム全体とその中の各段階での両方の料金情報を管理するために、以下の工夫を行った。
【手続補正１３】
【補正対象書類名】明細書
【補正対象項目名】００４３
【補正方法】削除
【補正の内容】
【手続補正１４】
【補正対象書類名】明細書
【補正対象項目名】００４４
【補正方法】削除
【補正の内容】
【手続補正１５】
【補正対象書類名】明細書
【補正対象項目名】００４８
【補正方法】変更
【補正の内容】
【００４８】
１０．上記リサイクルシステムにおいて、廃棄物の移動にともなって受け渡しされる管理票の受け渡しの最終点をリサイクル手段での受領時点とせず、該リサイクル手段による廃棄物の処理にともなって発生する少なくとも１つ以上の再利用可能物ならびに処分必要物の少なくとも１つにまで広げる。またリサイクル手段での処理の終了後に処理終了情報を送信する手段を備える。